(57)【要約】  カメラ（１６）を用いて物体の少なくとも３つの画像を捕捉するためのデバイス（１０）は、空洞（２２）を有する筐体（１２）を有する。筐体（１２）のスロット（２０）は、空洞（２２）と連通し、物体（２４）を受け入れるように構成されている。空洞（２２）内の複数の鏡（４２ａ〜４２ｄ）は、物体（２４）の少なくとも３つの画像をカメラ（１６）に向けて反射させ、カメラ（１６）が画像のイメージを捕捉することを可能とする。物体の複数画像を捕捉するためのシステム（２４）は、空洞（２２）を有する筐体（１２）を有する。筐体（１２）のスロット（２０）は、空洞（２２）と連通し、物体（２４）を受け入れるように構成されている。空洞（２２）内のカメラ（１６）、光源及び複数の鏡（４２ａ〜４２ｄ）は、物体（２４）の少なくとも３つの画像をカメラ（１６）に向けて反射させ、カメラ（１６）が３つの画像のイメージを捕捉することを可能とする。
2016515368.tif 000002
【特許請求の範囲】
【請求項１】
カメラを用いて物体の少なくとも３つの画像を捕捉するためのデバイスであって、
空洞を有する筐体と、
前記筐体にあり、前記空洞と連通しかつ物体を受け入れるように構成されたスロットと、
前記空洞にあり、前記物体の少なくとも３つの画像を前記カメラに向けて反射させるように構成され、これにより、前記カメラが少なくとも３つの前記画像のイメージを捕捉することを可能とする複数の鏡と、
を備えることを特徴とするデバイス。
【請求項２】
前記筐体が、前記空洞と連通する開口部を備えることを特徴とする請求項１に記載のデバイス。
【請求項３】
前記筐体に隣接して前記カメラを連結するように構成された保持部材をさらに備えることを特徴とする請求項１に記載のデバイス。
【請求項４】
前記物体が、鍵であり、
前記画像が、第１及び第２側面画像並びに頂面画像及び端面画像をさらに備える４つの画像であることを特徴とする請求項１に記載のデバイス。
【請求項５】
第５画像をさらに備え、
前記第５画像が、底面画像であることを特徴とする請求項４に記載のデバイス。
【請求項６】
当該デバイスが、携帯型かつ手持ち型であるように構成されていることを特徴とする請求項１に記載のデバイス。
【請求項７】
前記筐体にあり、前記空洞と連通する開口部をさらに備え、
前記保持部材が、前記カメラのレンズを前記開口部と位置合わせさせるように調整可能であることを特徴とする請求項３に記載のデバイス。
【請求項８】
前記筐体内に光源をさらに備えることを特徴とする請求項１に記載のデバイス。
【請求項９】
カメラを用いて物体の少なくとも３つの画像を捕捉するためのデバイスであって、
空洞を有する筐体と、
前記空洞にあり、前記物体の複数の画像を前記カメラに向けて反射させるように構成され、これにより、前記カメラが複数の画像のイメージを捕捉することを可能とする複数の鏡と、
前記筐体にあり、前記空洞と連通しかつ物体を受け入れるように構成されたスロットと、
を備え、
前記筐体が、前記物体の少なくとも一部を前記スロット内に向けたときに前記物体を安定させる調整可能部分を備えることを特徴とするデバイス。
【請求項１０】
前記調整可能部分が、前記スロットを第１の開放位置と第２の閉塞位置との間で移動させるために、レバーによって調整されることを特徴とする請求項９に記載のデバイス。
【請求項１１】
当該デバイスが、携帯型かつ手持ち型であるように構成されていることを特徴とする請求項９に記載のデバイス。
【請求項１２】
前記筐体が、前記空洞と連通する開口部をさらに備えることを特徴とする請求項９に記載のデバイス。
【請求項１３】
前記筐体に隣接して前記カメラを連結するように構成された保持部材をさらに備えることを特徴とする請求項９に記載のデバイス。
【請求項１４】
前記調整可能部分が、ガラスからなる第１プレートを備え、
前記スロットが、ガラスからなる前記第１プレートとガラスからなる第２プレートとによって部分的に画成されていることを特徴とする請求項９に記載のデバイス。
【請求項１５】
前記物体が、鍵であることを特徴とする請求項９に記載のデバイス。
【請求項１６】
前記レバーを操作することが、調整可能部分を前記筐体に対して移動させることを特徴とする請求項１０に記載のデバイス。
【請求項１７】
前記筐体にあり、前記空洞と連通する開口部をさらに備え、
前記保持部材が、前記カメラのレンズを前記開口部と位置合わせさせるように調整可能であることを特徴とする請求項１３に記載のデバイス。
【請求項１８】
物体の複数画像を捕捉するためのシステムであって、
空洞を有する筐体と、
前記筐体にあり、前記空洞と連通しかつ物体を受けるように構成されたスロットと、
カメラと、
光源と、
前記空洞にあり、前記物体の少なくとも３つの画像を前記カメラに向けて反射させるように構成され、これにより、前記カメラが少なくとも３つの前記画像のイメージを捕捉することを可能とする複数の鏡と、
を備えることを特徴とするシステム。
【請求項１９】
前記光源が、筐体内にあることを特徴とする請求項１８に記載のシステム。
【請求項２０】
前記光源が、電子発光フィルムであることを特徴とする請求項１８に記載のシステム。
【請求項２１】
前記カメラ及び前記光源が、筐体内にあることを特徴とする請求項１８に記載のシステム。
【請求項２２】
前記カメラが、カメラ付携帯電話機であることを特徴とする請求項１８に記載のシステム。
【請求項２３】
前記筐体が、当該筐体に隣接して前記カメラを連結するように構成された少なくとも１つの保持部材をさらに備えることを特徴とする請求項１８に記載のシステム。
【請求項２４】
前記筐体が、前記空洞と連通する開口部を備え、それにより、レンズが前記筐体に隣接しているときに、前記カメラの前記レンズが前記筐体と連なっていることを特徴とする請求項１８に記載のシステム。
【請求項２５】
前記カメラによって捕捉された前記イメージを保存するように動作する記憶デバイスをさらに備えることを特徴とする請求項１８に記載のシステム。
【請求項２６】
前記物体が、鍵であり、
前記画像が、第１側面画像、第２側面画像、頂面画像及び端面画像をさらに備えることを特徴とする請求項１８に記載のシステム。
【請求項２７】
前記筐体が、携帯型であることを特徴とする請求項１８に記載のシステム。
【請求項２８】
前記カメラ付携帯電話機が、当該カメラ付携帯電話機によって捕捉された前記イメージを保存するように動作する記憶デバイスをさらに備えることを特徴とする請求項２２に記載のシステム。
【請求項２９】
前記筐体にあり、前記空洞と連通する開口部をさらに備え、
前記保持部材が、前記カメラのレンズを前記開口部と位置合わせさせるように調整可能であることを特徴とする請求項２３に記載のシステム。
【請求項３０】
製造デバイスと、
前記記憶デバイスと通信し、前記イメージをデータに変換するように構成されたソフトウエアと、
をさらに備え、
前記データが、前記物体を複製するために前記製造デバイスによって読み込み可能であることを特徴とする請求項２８に記載のシステム。
【請求項３１】
前記物体が、鍵であり、
前記データが、鍵ブランクを作製するために前記製造デバイスによって使用可能であることを特徴とする請求項３０に記載のシステム。
【請求項３２】
第２製造デバイスをさらに備え、
前記データが、前記鍵ブランクから前記鍵を複製するために前記第２製造デバイスによって使用可能であることを特徴とする請求項３１に記載のシステム。
【請求項３３】
物体の複数画像を捕捉するためのシステムであって、
空洞を有する筐体と、
前記筐体にあり、前記空洞と連通しかつ物体を受け入れるように構成されたスロットと、
前記物体を前記スロット内に向けたときに前記物体を安定させる調整可能部分と、
カメラと、
光源と、
前記筐体内にあり、前記物体の複数の画像を前記カメラへ反射させるように構成され、これにより、前記カメラが複数の前記画像のイメージを捕捉することが可能となる、複数の鏡と、
を備えることを特徴とするシステム。
【請求項３４】
前記調整可能部分が、レバーによって調整可能であり、前記スロットを第１の開放位置と第２の閉塞位置との間で移動させることを特徴とする請求項３３に記載のシステム。
【請求項３５】
前記カメラ及び前記光源が、前記筐体内に配設されていることを特徴とする請求項３３に記載のシステム。
【請求項３６】
前記カメラが、カメラ付携帯電話機であることを特徴とする請求項３３に記載のシステム。
【請求項３７】
前記筐体が、当該筐体に隣接して前記カメラを連結するように構成された少なくとも１つの保持部材をさらに備えることを特徴とする請求項３３に記載のシステム。
【請求項３８】
前記筐体が、前記空洞と連通する開口部を備えることを特徴とする請求項３３に記載のシステム。
【請求項３９】
前記カメラによって捕捉された前記イメージを保存するように動作する記憶デバイスをさらに備えることを特徴とする請求項３３に記載のシステム。
【請求項４０】
前記調整可能部分が、ガラスからなる第１プレートを備え、
前記スロットが、ガラスからなる前記第１プレートとガラスからなる第２プレートとによって部分的に画成されていることを特徴とする請求項３３に記載のシステム。
【請求項４１】
前記物体が、鍵であることを特徴とする請求項３３に記載のシステム。
【請求項４２】
前記レバーの操作により、前記調整可能部分を前記筐体に対して移動させることを特徴とする請求項３４に記載のシステム。
【請求項４３】
前記カメラ付携帯電話機が、当該カメラ付携帯電話機によって捕捉された前記イメージを保存するように動作する記憶デバイスをさらに備えることを特徴とする請求項３４に記載のシステム。
【請求項４４】
前記筐体にあり、前記空洞と連通する開口部をさらに備え、
前記保持部材が、前記カメラのレンズを前記開口部と位置合わせさせるように調整可能であることを特徴とする請求項３５に記載のシステム。
【請求項４５】
製造デバイスと、
前記記憶デバイスと通信し、前記イメージをデータに変換するように構成されたソフトウエアと、
をさらに備え、
前記データが、前記物体を複製するために前記製造デバイスによって読み込み可能であることを特徴とする請求項４４に記載のシステム。
【請求項４６】
前記物体が、鍵であり、
前記データが、鍵ブランクを作製するために前記製造デバイスによって使用可能であることを特徴とする請求項４５に記載のシステム。
【請求項４７】
第２製造デバイスをさらに備え、
前記データが、前記鍵ブランクから前記鍵を複製するために前記第２製造デバイスによって使用可能であることを特徴とする請求項４６に記載のシステム。
【請求項４８】
空洞を有する筐体を用いて物体の複数画像を捕捉する方法であって、
前記空洞が、当該空洞に複数の鏡を有し、
当該方法が、
前記物体の少なくとも一部を前記空洞内で受けるステップと、
前記空洞に通じるカメラに向けて複数の前記鏡を用いてイメージを反射させるステップであって、前記イメージが前記物体の少なくとも３つの画像を備える、ステップと、
前記カメラを用いて前記イメージを捕捉するステップと、
を備えることを特徴とする方法。
【請求項４９】
前記カメラを前記筐体の開口部に隣接して取外し可能に受けるステップをさらに備えることを特徴とする請求項４８に記載の方法。
【請求項５０】
前記イメージを保存するステップをさらに備えることを特徴とする請求項４８に記載の方法。
【請求項５１】
前記物体が、鍵であることを特徴とする請求項４９に記載の方法。
【請求項５２】
前記取外し可能に受けるステップが、
前記筐体に保持部材を設けるステップであって、前記保持部材が前記カメラのレンズを前記開口部と位置合わせさせるように調整可能である、ステップをさらに備えることを特徴とする請求項５０に記載の方法。
【請求項５３】
前記捕捉するステップと前記保存するステップとをカメラ付携帯電話機を用いて行うことを特徴とする請求項５１に記載の方法。
【請求項５４】
前記イメージをソフトウエアを用いて前記イメージを示すデータに変換するステップと、
前記データを製造デバイスに送信するステップと、
をさらに備えることを特徴とする請求項５１に記載の方法。
【請求項５５】
前記物体が、鍵であり、
当該方法が、
前記製造デバイスを用いて、前記データによって鍵ブランクを機械加工するステップをさらに備えることを特徴とする請求項５１に記載の方法。
【請求項５６】
前記鍵ブランクを機械加工して前記鍵を複製するステップをさらに備えることを特徴とする請求項５５に記載の方法。
【請求項５７】
前記データを第２製造デバイスに送信するステップと、
前記第２製造デバイスを用いて、前記鍵ブランクを機械加工して前記鍵を複製するステップと、
をさらに備えることを特徴とする請求項５４に記載の方法。
【請求項５８】
空洞を有する筐体を用いて物体の複数画像を捕捉する方法であって、
前記空洞が、当該空洞に複数の鏡を有し、
当該方法が、
前記物体の少なくとも一部を前記空洞と連通するスロット内で受けるステップであって、前記スロットの一部が当該スロット内で前記物体を安定させるように調整可能である、ステップと、
カメラに向けて複数の前記鏡を用いてイメージを反射させるステップであって、前記イメージが前記物体の複数の画像を備える、ステップと、
前記カメラを用いて前記イメージを捕捉するステップと、
を備えることを特徴とする方法。
【請求項５９】
前記スロットを調整するための部材を設けるステップであって、前記部材がユーザによって作動される、ステップをさらに備えることを特徴とする請求項５８に記載の方法。
【請求項６０】
前記イメージを保存するステップをさらに備えることを特徴とする請求項５９に記載の方法。
【請求項６１】
前記カメラを前記筐体の開口部に隣接して取外し可能に受けるステップをさらに備えることを特徴とする請求項５９に記載の方法。
【請求項６２】
前記物体が、鍵であることを特徴とする請求項５９に記載の方法。
【請求項６３】
前記捕捉するステップと前記保存するステップとをカメラ付携帯電話機を用いて行うことを特徴とする請求項６０に記載の方法。
【請求項６４】
前記取外し可能に受けるステップが、
前記筐体に保持部材を設けるステップであって、前記保持部材が前記カメラのレンズを前記開口部と位置合わせさせるように調整可能である、ステップをさらに備えることを特徴とする請求項５８に記載の方法。
【請求項６５】
カメラ付携帯電話機を用いて鍵を複製する方法であって、
前記鍵の複数の画像のイメージを捕捉するステップと、
前記カメラ付携帯電話機内のソフトウエアを用いて、前記イメージを前記イメージを示すデータに変換するステップと、
前記データを第１及び第２機械加工デバイスに送信するステップと、
前記第１機械加工デバイスを用いて、前記鍵に対応する鍵ブランクを機械加工するステップと、
前記第２機械加工デバイスを用いて、前記鍵ブランクを機械加工して前記鍵の複製品を複製するステップと、
を備えることを特徴とする方法。
【請求項６６】
鍵を複製するためのシステムであって、
空洞を有する筐体と、
前記筐体にあり、前記空洞と連通しかつ前記鍵の少なくとも一部を受けるように構成されたスロットと、
前記空洞にあり、前記物体の複数の画像を前記筐体の開口部に向けて反射させるように構成された複数の鏡と、
カメラ付携帯電話機であって、
前記開口部に通じ、複数の前記画像を捕捉するように動作するカメラ、
前記カメラによって捕捉された前記イメージを保存するように動作する記憶デバイス、及び、
前記記憶デバイスと通信し、前記イメージを前記イメージを示すデータに変換するように構成されたソフトウエア、
を備えるカメラ付携帯電話機と、
前記カメラ付携帯電話機と通信して前記データを受信する第１鍵製造デバイスであって、前記データが、当該第１鍵製造デバイスによって使用可能であり、鍵ブランクを作製する、第１鍵製造デバイスと、
前記カメラ付携帯電話機と通信して前記データを受信する第２鍵製造デバイスであって、前記データが、当該第２鍵製造デバイスによって使用可能であり、前記鍵ブランクから前記鍵の複製品を作製する、第２鍵製造デバイスと、
を備えることを特徴とするシステム。
【発明の詳細な説明】
【技術分野】
【０００１】
本発明は、物体の複数画像のイメージを捕捉すること、より具体的には、物体の複製品を作製するために物体の複数画像のイメージを捕捉することに関する。
【背景技術】
【０００２】
一般的に、鍵のような物体の複製品を作製するために、ユーザは、鍵を物理的に所持して、鍵を複製するように動作可能なデバイスがある場所まで鍵を移送しなければならない。あるいは、型を形成するために、ユーザが鍵の形状及び構造を印象付けることを可能とする従来のデバイスがある。その後、型は、鍵を複製するために使用される。
【発明の概要】
【発明が解決しようとする課題】
【０００３】
しかしながら、これらデバイスは、複数の鍵の形状及び構造を迅速にかつこっそりと習得しなければならない場合に、信頼できないことがあり、実行できないことがある。同様に、様々な理由から、これら状況において、複製品が必要な鍵をその住居環境から取り外すことは実行不可能であることがある。したがって、従来において、鍵を複製することを目的として、鍵をその住居環境から移送することなく、ユーザが鍵の形状及び構造を迅速に取得することを可能とするシステムに関して従来において必要性がある。
【課題を解決するための手段】
【０００４】
一実施形態において、カメラを用いて物体の少なくとも３つの画像を捕捉するためのデバイスは、提供されており、空洞を有する筐体と、筐体にあり、空洞と連通しかつ物体を受け入れるように構成されたスロットと、を備える。空洞には、物体の少なくとも３つの画像をカメラに向けて反射させるように構成され、これにより、カメラが少なくとも３つの画像のイメージを捕捉することを可能とする複数の鏡がある。一実施形態において、デバイスは、携帯型かつ手持ち型であるように構成されている。
【０００５】
別の実施形態において、カメラを用いて物体の複数の画像を捕捉するためのデバイスは、提供されており、空洞を有する筐体と、空洞にあり、物体の複数の画像をカメラに向けて反射させるように構成され、これにより、カメラが複数の画像のイメージを捕捉することを可能とする、複数の鏡と、を備える。デバイスは、筐体にあり、空洞と連通しかつ物体を受け入れるように構成されたスロットをさらに備え、筐体は、物体の少なくとも一部をスロット内に向けたときに物体を安定させる調整可能部分を備える。
【０００６】
別の実施形態において、物体の複数画像を捕捉するためのシステムは、提供されており、空洞を有する筐体と、筐体にあり、空洞と連通しかつ物体を受けるように構成されたスロットと、を備える。システムは、空洞内にあるカメラ、光源及び複数の鏡をさらに有し、これら鏡は、物体の少なくとも３つの画像をカメラに向けて反射させるように構成されており、これにより、カメラが少なくとも３つの画像のイメージを捕捉することを可能とする。
【０００７】
別の実施形態において、物体の複数画像を捕捉するためのシステムは、提供されており、空洞を有する筐体と、筐体にあり、空洞と連通しかつ物体を受けるように構成されたスロットと、を備える。システムは、物体をスロット内に向けたときに物体を安定させる調整可能部分をさらに備える。システムは、空洞内にあるカメラ、光源及び複数の鏡をさらに有し、これら鏡は、物体の複数の画像をカメラに向けて反射させるように構成されており、これにより、カメラが複数の画像のイメージを捕捉することを可能とする。
【０００８】
筐体を用いて物体の複数画像を捕捉する方法を提供する。筐体は、空洞を備え、空洞は、その中に複数の鏡を有する。方法は、物体の少なくとも一部を空洞内で受けるステップを備える。方法は、空洞に通じるカメラに向けて複数の鏡を用いてイメージを反射させるステップであって、イメージが物体の少なくとも３つの画像を備える、ステップと、カメラを用いてイメージを捕捉するステップと、をさらに備える。
【０００９】
筐体を用いて物体の複数画像を捕捉する別の方法を提供する。筐体は、空洞を有し、空洞は、その中に複数の鏡を有する。方法は、物体の少なくとも一部を空洞と連通するスロット内で受けるステップであって、スロットの一部がスロット内で物体を安定させるように調整可能である、ステップを備える。方法は、カメラに向けて複数の鏡を用いてイメージを反射させるステップであって、イメージが物体の複数の画像を備える、ステップをさらに備える。方法は、カメラを用いてイメージを捕捉するステップをさらに備える。
【００１０】
カメラ付携帯電話機を用いて鍵を複製する方法は、提供され、鍵の複数の画像のイメージを捕捉するステップと、カメラ付携帯電話機内のソフトウエアを用いて、イメージをイメージを示すデータに変換するステップと、を備える。方法は、データを第１及び第２機械加工デバイスに送信するステップをさらに備える。方法は、第１機械加工デバイスを用いて、鍵に対応する鍵ブランクを機械加工するステップと、第２機械加工デバイスを用いて、鍵ブランクを機械加工して鍵の複製品を複製するステップと、をさらに備える。
【００１１】
鍵を複製するためのシステムは、提供され、空洞を有する筐体と、筐体にあり、空洞と連通しかつ鍵の少なくとも一部を受けるように構成されたスロットと、を備える。システムは、空洞にあり、物体の複数の画像を筐体の開口部に向けて反射させるように構成された複数の鏡をさらに備える。システムは、カメラ付携帯電話機をさらに有し、このカメラ付携帯電話機は、開口部に通じ、複数の画像を捕捉するように動作するカメラ、カメラによって捕捉されたイメージを保存するように動作する記憶デバイス、及び、記憶デバイスと通信し、イメージをイメージを示すデータに変換するように構成されたソフトウエア、をさらに備える。システムは、カメラ付携帯電話機と通信してデータを受信する第１鍵製造デバイスであって、データが、第１鍵製造デバイスによって使用可能であり、鍵ブランクを作製する、第１鍵製造デバイスをさらに備える。システムは、カメラ付携帯電話機と通信してデータを受信する第２鍵製造デバイスであって、データが、第２鍵製造デバイスによって使用可能であり、鍵ブランクから鍵の複製品を作製する、第２鍵製造デバイスをさらに備える。
【図面の簡単な説明】
【００１２】
【図１】物体の複数画像を捕捉するための一実施形態にかかるシステムを示す斜視図である。
【図２】図１の実施形態を示す分解斜視図であって、構成部品を詳細に示す分解斜視図である。
【図３Ａ】図１の線３−３に沿う図１のシステムにかかるデバイスを示す断面図であって、開放位置にあるスロットを示す、断面図である。
【図３Ｂ】図１の線３−３に沿う図１のシステムにかかるデバイスを示す断面図であって、閉塞位置にあるスロットを示す、断面図である。
【図４】図１の鏡の構造を示す斜視図である。
【図５】図４の構造のような鏡によって反射した鍵の画像を示す図である。
【図６】別の実施形態にかかる物体の複数画像を捕捉するためのシステムを示す斜視図である。
【図７】図６の実施形態を示す分解斜視図であって、内部構成部品を示す、分解斜視図である。
【図８Ａ】図６の線８−８に沿う図６のシステムにかかるデバイスを示す断面図であって、開放位置にあるスロットを示す、断面図である。
【図８Ｂ】図６の線８−８に沿う図６のシステムにかかるデバイスを示す断面図であって、閉塞位置にあるスロットを示す、断面図である。
【図９】別の実施形態にかかるデバイスを示す断面図であって、このデバイスが物体の５つの画像を反射するように構成された、断面図である。
【図１０】別の実施形態にかかる物体の複数画像を捕捉するシステムを示す斜視図である。
【図１１】図１０のシステムを示す分解斜視図であって、内部構成部品を示す、分解斜視図である。
【図１２】図１０の線１２−１２に沿う図１０のシステムを示す横断面図である。
【図１３Ａ】図１２の線１３−１３に沿う図１０のシステムを示す頂断面図であって、開放位置にあるスロットを示す、頂断面図である。
【図１３Ｂ】図１２の線１３−１３に沿う図１０のシステムを示す頂断面図であって、閉塞位置にあるスロットを示す、頂断面図である。
【発明を実施するための形態】
【００１３】
図１に示すように、物体の複数画像を捕捉するためのシステム８は、筐体１２を備えるデバイス１０を有する。筐体１２は、カメラを筐体１２に隣接して連結するように構成された保持部材１４ａ、１４ｂ、１４ｃを有する。図１に示す実施形態において、保持部材１４ａ、１４ｂ、１４ｃは、カメラ付携帯電話機のレンズ１７（図３Ｂ）を筐体１２にある開口部１８（図２）と位置合わせするように調整可能である。保持部材１４ａ、１４ｂ、１４ｃは、筐体１２がデバイスと共に使用される幅広いカメラ及びカメラ付携帯電話機１６を受けることを可能とする。システムは、カメラをさらに備える。図１に示す実施形態において、カメラは、カメラ付携帯電話機１６である。しかしながら、他の実施形態において、カメラは、従来から周知の単体のカメラであってもよい。デバイス１０は、筐体１２にあるスロット２０を有する。スロット２０は、空洞２２（図３Ａ及び図Ｂ）と連通し、物体を受けるように構成されている。図１に示す実施形態において、スロット２０で受けられた物体は、鍵２４である。しかしながら、他の実施形態において、物体は、そのイメージを複製することが有用である場合には、クレジットカードのような他の物体であってもよい。
【００１４】
保持部材１４ａは、２つの雄型部材２６ａ、２６ｂを有しており、これら雄型部材は、筐体１２にある対応する雌型部材３０ａ、３０ｂ内でスライド可能に受けられている。保持部材１４ａは、筐体１２に対してカメラを固定するために、矢印２８の方向で移動可能である。同様に、保持部材１４ｂは、雄型部材３２を有し、この雄型部材は、筐体１２に対してカメラを固定するために、矢印３６の方向で筐体１２の雌型部材３４内へスライド可能に受けられることができる。さらに同様に、保持部材１４ｃは、雄型部材３７を有しており、この雄型部材は、筐体１２に対してカメラを固定するために、矢印４３の方向で筐体１２の別の雌型部材３５内にスライド可能に受けられることができる。筐体１２の雌型部材３０、３４、３５内における保持部材１４ａ、１４ｂ、１４ｃの雄型部材２６ａ、２６ｂ、３２、３７の位置は、筐体１２に対して固定されるカメラまたはカメラ付携帯電話機のサイズに依存する。バネ２７は、筐体１２に連結し、保持部材１４ａを筐体１２に向けて付勢する。保持部材１４ａ、１４ｂは、筐体１２へのさらなる摩擦固定を提供し、保持部材１４ａ、１４ｂからカメラへのひっかき傷のような損傷を防止するために、そこにパッド３８を有する。図示の実施形態において、保持部材１４ｂは、固定具４０を用いて所定位置に固定されることができる。
【００１５】
筐体１２は、空洞２２（図３Ａ及び図３Ｂ）と連通する開口部１８を有する。カメラのレンズを開口部１８と位置合わせしてもよく、カメラ付携帯電話機１６のレンズ１７が空洞２２と通じることを可能とし、それにより、レンズが空洞２２の少なくとも一部の内容物のイメージを捕捉できる。筐体１２は、空洞２２内に複数の鏡４２ａ、４２ｂ、４２ｃ、４２ｄ（図３Ａ及び図３Ｂ）をさらに有しており、これら鏡は、物体の少なくとも３つの画像をカメラに向けて反射させるように構成されており、これにより、カメラが少なくとも３つの画像のイメージを捕捉することを可能とする。
【００１６】
筐体１２は、空洞２２と連通するスロット２０をさらに有する。以下で詳述するように、スロット２０は、そこで様々なサイズの鍵２４のような物体を受け入れるように調整可能であってもよい。スロット２０の調整可能性は、同様に、システムの使用中に、鍵２４のような物体をスロット２０内に固定するために設けられてもよい。
【００１７】
図３Ａ及び図３Ｂを参照すると、デバイスは、頂部分４４、底部分４６及び２つの側部分４８及び５０を有する筐体１２を有する。頂部分４４は、筐体１２内の空洞２２と連通する開口部１８を有する。開口部１８は、ほぼシリンダ状の部分５２と、ほぼ円錐台状の部分５４と、を有する。ほぼ円錐台状の部分５４は、第１端部５６及び第２端部５８を有し、第２端部５８の直径は、第１端部５６より大きい。ほぼ円錐台状の部分５４は、空洞２２内での開口部１８に位置合わせされたカメラのより大きな視角を可能とする。
【００１８】
スロット２０は、空洞２２と連通する。鍵２４のような物体は、スロット２０ひいては空洞２２内に受けられる。スロット２０は、第１及び第２プレート６０、６２間の穴部として画成されている。一実施形態において、第１及び第２プレート６０、６２は、ガラスであり、カメラ用途のための筐体１２内における理想的な照明特性を提供するために、被覆（図示略）を有する。図３Ａ及び図３Ｂに示す実施形態において、第１プレート６０は、調整可能部分６４に取り付けられており、この調整可能部分は、筐体１２に対して垂直方向で調整可能である。調整可能部分６４は、第１の開放位置（図３Ａ）及び第２の閉塞位置（図３Ｂ）間で移動可能である。第２プレート６２は、筐体１２内に固定式に取り付けられており、それにより、調整可能部分６４ひいては第１プレート６０は、第２プレート６２に対して移動可能である。調整可能部分６４を第１及び第２位置間で移動させるため、調整レバー６６を設けている。調整レバー６６は、筐体１２に固定された部材６８回りに回動する。調整レバー６６の回転は、筐体１２の第２側方部分５０の壁７２とのレバー６６の横方向部分７０の相互作用によって、一側で制限されている。調整レバー６６の回転は、筐体１２の底部分４６と相互作用するレバー６６の腕７４によってさらに制限されている。調整レバー６６は、平坦部分７８を有しており、この平坦部分は、調整可能部分６４の突出部８０と相互作用する。圧縮バネ８２は、調整可能部分６４の上下移動にさらに寄与し、この圧縮バネは、穴部８３に位置し、下方に付勢されている。同じまたは同様の機能を実行する第２圧縮バネ（図示略）があってもよい。図３Ａに示すように、調整レバーが第１位置にあるとき、調整可能部分６４の突出部８０、ひいては調整可能部分６４全体は、突出部８０が平坦セクション７８と相互作用するので、下方に移動できない。図３Ｂに示すように、調整レバー６６は、第２位置にあり、平坦セクション７８の移動及び／または回転には、突出部８０が追従し、それにより、突出部８０は、平坦セクションと共に下方に移動する。突出部８０ひいては調整可能部分６４の下方移動は、同様に、圧縮バネ８２からの下方バネ付勢に起因する。調整可能部分６４は、蟻継手部材８４を有しており、この蟻継手部材は、筐体１２の壁にある蟻継手スロット８５内にスライド可能に受けられる。蟻継手部材８４と蟻継手スロット８５との間の（図４における仮想線及び図７に示す）相互作用は、調整可能部分６４に垂直方向における一自由度を与える。しかしながら、別の実施形態において、調整可能部分６４は、調整可能部分の水平方向でのまたは２以上の自由度での移動を可能とする態様で移動可能に取り付けられてもよい。
【００１９】
調整レバー６６が第２位置にありかつ調整可能部分６４が閉塞位置にあるとき、それにより、スロット２０の高さは、低減される。それにより、スロット２０にある鍵２４のような物体は、鍵２４のサイズに応じて、スロット２０内に固定されることがある。スロット２０内に挿入された鍵２４のような物体のサイズに応じて、調整レバー６６は、第２位置に向けて完全には移動されないことがある。例えば、調整可能部分６４が閉塞位置にあるときに物体の高さがスロット２０の高さよりも大きい場合、レバー６６を第２位置へ移動させることは、物体及び／またはシステムの内部構成部品を損傷することがある。例えば、第１及び第２プレート６０、６２は、ガラスであることがある。したがって、第１プレート６０がスロット２０内にある物体にすでに接触している状態で第１プレート６０を下方に移動させようとすることは、第１及び／または第２プレート６０、６２を破損させるまたは飛散させることを招くことがある。この可能性があるので、回動部材及び調整レバー６６は、圧縮バネ８２に起因して下方付勢に抗するように構成されており、不要な下方移動を防止する。
【００２０】
同様に、図３Ａ及び図３Ｂには、空洞２２内にあり、鍵２４の少なくとも３つの画像を開口部１８と位置合わせしたレンズ１７を有するカメラに向けて反射させるように構成された複数の鏡４２ａ、４２ｂ、４２ｃ、４２ｄが示されている。より具体的には、図３Ａ及び図３Ｂに示す実施形態において、筐体１２内には、鍵２４の画像のイメージを反射させる４つの鏡４２ａ、４２ｂ、４２ｃ、４２ｄがある。図３Ａ及び図３Ｂに示す実施形態において、物体は、鍵２４であるが、クレジットカードのような別の物体であってもよい。主鏡４２ａは、鍵２４の頂部イメージを開口部１８へ反射させる。鏡４２ｂは、調整可能部分６４の一部として埋め込まれており、鍵２４の第１側部８６のイメージを主鏡４２ａに反射させる。鏡４２ｃは、鍵２４の第２側面画像８８を主鏡４２ａに反射させる。鏡４２ｄは、鍵２４の端面画像９２を主鏡４２ａに反射させる。それにより、主鏡４２ａは、実際には、鏡４２ｂ、４２ｃ及び４２ｄから主鏡に反射されたイメージを再反射させる。鏡４２ａ、４２ｂ、４２ｃ、４２ｄは、カメラがこれら鏡から反射された各画像を捕捉できるように構成されている。すなわち、鏡４２ｂ、４２ｃ及び４２ｄは、反射したイメージが互いに交差または干渉しないようにイメージを鏡４２ａに反射させるように構成されている。鏡４２ａ、４２ｂ、４２ｃ、４２ｄの構造を図４に示す。さらに、鏡４２ａ、４２ｂ、４２ｃ、４２ｄは、筐体１２内でイメージのゴースト発生を防止するように構成された表面鏡であってもよい。さらに、少なくとも一実施形態において、全てのまたは一部の内部構成部品は、捕捉したイメージとの干渉を防止するために、白色であってもよい。
【００２１】
妥当であることは、上述した画像が、スロット２０内に挿入された鍵２４のような物体の向きに依存することである。例えば、図９に示すように鍵２４を逆の態様でスロット２０内に挿入し、それにより、鍵２４の底部が下方を向く場合、鍵２４の別の画像は、別の鏡によって反射されることがある。さらに、本明細書で使用するように、端面、第１及び第２側面並びに頂面及び底面のような用語は、物体または鍵２４の画像を説明するために使用される。しかしながら、本明細書の開示は、デバイス１０が物体または鍵２４の他の画像を反射し捕捉するように構成され得るので、選択した基準座標系及び説明用語に限定されない。
【００２２】
図３Ａ及び図３Ｂにおける実施形態から開口部１８へ最終的に反射され、したがってカメラによって捕捉された完全なイメージの表示を図５に示す。上述のように、反射したイメージは、鍵２４の第１及び第２側面画像８６、８８、頂面画像９０並びに端面画像９２を有する。その後、鍵２４のイメージは、ソフトウエアによって、１以上の鍵製造デバイス（図示略）によって読み取り可能なデータに変換される。好ましくは、データは、第１鍵製造デバイスに送信され、この第１鍵製造デバイスは、データを使用して鍵ブランクを作製する。その後、第２製造デバイス（図示略）は、データを使用して鍵ブランクから鍵２４の複製品を作製する。しかしながら、別の実施形態において、上述のように第１及び第２鍵製造デバイスではなく、データを使用して鍵２４の複製品を作製する１つの鍵製造デバイスであってもよい。
【００２３】
別の実施形態にかかるシステム８のデバイス１０を図６、図７、図８Ａ及び図８Ｂに示す。デバイス１０のほとんどの構造及び機能は、図１、図２、図３Ａ、図３Ｂ及び図４に示す実施形態と同一またはほぼ同様である。同一もまたはほぼ同様の構成部品には、特に、鏡４２ａ、４２ｂ、４２ｃ、４２ｄの機能性並びにスロット２０の開放及び閉塞位置からのかつ開放及び閉塞位置への移動に関して、以下のさらなる説明なく同一の参照符号を付す。デバイス１０は、上側及び下側部分１１４、１１６を有する筐体１１２を有する。上側部分１１４は、（仮想線で示す）カメラ付携帯電話機１６または他のデバイスを受け入れるように構成された凹状部分１１８を有する。凹状部分１１８は、カメラ付携帯電話機１６または他のデバイスを取り外すための方法をユーザに提供し得る空間１１９をさらに有する。本明細書で使用する「カメラ付携帯電話機」は、スマートフォンのようなカメラを有する電話機を説明するために使用され得る。「カメラ付携帯電話機」は、同様に、アップル社が製造するｉＰｏｄＴｏｕｃｈ（登録商標）のようなカメラを有しかつインターネットに接続するように構成され得る携帯型メディアプレーヤを示すために使用されてもよい。上側部分１１４は、固定具（図示略）を受け入れる複数の開口部１２０を有しており、これら固定具は、上側部分１１４を下側部分１１６に対して固定するように構成されている。上側部分１１４は、同様に、カメラ付携帯電話機１６のレンズ（図示略）を受け入れることが可能であり筐体１１２の内側にある空洞２２と連通する開口部１２２を有する。下側部分１１６は、鍵２４のような物体を受け入れるスロット２０を有し、このスロットを以下で詳述する。スロット２０は、レバー６６によって調整可能であり、このレバーは、点６８回りで回転可能である。
【００２４】
図７を参照すると、上側及び下側部分１１４、１１６の内部には、鏡ケース１２４及び調整可能部分６４があり、この鏡ケースは、同様に、鏡４２ａ、４２ｂ、４２ｃ及び４２ｄを有する。後述するように、鏡ケース１２４の一部及び調整可能部分６４は、スロット２０を備える。調整可能部分６４は、バネ８２（図８Ａ及び図８Ｂ）を受け入れるための２つの穴部８３を有しており、これらバネは、調整可能部分６４を下方に弾性的に付勢する。調整可能部分６４は、蟻継手部材８４を有する側壁１２９を有しており、この蟻継手部材は、蟻継手部材が水平方向で移動することを防止するために、筐体１１２の上側及び下側部分１１４、１１６にある蟻継手スロット８５（上側部分１１４において図示略）と相互作用する。
【００２５】
調整可能部分６４のうち蟻継手部材８４とは反対側の側部には、反対側の側壁１３０にあるほぼ矩形状の開口部１２８があり、この開口部は、鏡４２ｂが鏡４２ａと通じることを可能とする。鏡４２ｂは、鏡ケース１２４の頂面１２６及び側壁１２９に対して横方向に位置しており、第１プレート６０の上方にある開口部１２８の上方に固定されている。調整可能部分６４は、調整可能部分６４を移動させるためにレバー６６と相互作用する突出部８０を有する。
【００２６】
デバイス１０は、上側及び下側部分１１４、１１６間で筐体１１２の内側に配置されるように構成された鏡ケース１２４をさらに有する。鏡ケース１２４の頂面１３２は、開口部１３４を有しており、この開口部は、カメラ付携帯電話機１６のレンズ（図示略）を空洞２２と通じさせるために、筐体１１２の上側部分１１４にある開口部１２２に関して通じて位置している（図８Ａ及び図８Ｂに最もよく示される）。
【００２７】
鏡ケース１２４は、そこに固定された鏡４２ａ、４２ｃ及び４２ｄを有する。より具体的には、鏡４２ａは、例えば接着剤によって、機械的態様で支持面１３６に固定されている。第２プレート６２及び鏡４２ｃは、保持部材１３８によって鏡筐体１１２に固定されており、この保持部材は、第２プレート６２及び鏡４２ｃの一部を囲む複数のフランジ１４０を有する。第２プレート６２は、基本的に、支持面１３６及び保持部材１３８間に挟まれてもよい。同様に、鏡４２ｃは、保持部材１３８及び鏡ケース１２４の底部分間に挟まれてもよい。鏡４２ｄは、鏡ケース１２４内の２つの保持部材１４２間に嵌め込まれており、これにより、鏡４２ｄを鏡ケース１２４内に固定する。
【００２８】
筐体１１２の下側部分１１６の内側には、複数の支持梁１４４があり、これら支持梁は、鏡ケース１２４を下側部分１１６に向けたときに鏡ケース１２４の傾斜面１４６を支持する。筐体１１２の内側には、バッテリ筐体１４８があり、このバッテリ筐体は、回路基板１５１に給電するための１以上バッテリを受け入れるように構成されており、この回路基板は、電子発光フィルムまたは複数の発光ダイオードのような少なくとも１つの照明デバイス（図示略）を有する。しかしながら、照明デバイスは、電子発光フィルムまたは発光ダイオードに限定されず、当業者に公知の別のタイプのデバイスであってもよい。回路基板及び照明デバイスを受けるように構成された一対の支持体１５２がある。スロット１５４内には、拡散フィルム（図示略）があってもよい。拡散フィルムは、ホットスポット、影を低減し、照明デバイスに取り付けられた回路基板からのぎらつきを制御するために設けられてもよく、捕捉したイメージの最良の画像を得る。
【００２９】
別の代替的な実施形態を図９に示す。デバイス２１０は、（仮想線で示す）筐体２１２を有し、この筐体は、そこにある空洞２１６と、空洞２１６と連通する開口部２１４と、を有する。カメラ（図示略）のレンズは、開口部２１４と位置合わせされてもよく、カメラのレンズが空洞２２と通じることを可能とし、これにより、レンズが空洞２２の少なくとも一部の内容物のイメージを捕捉することができる。デバイスは、鍵２４または他の物体を受け入れるためのスロット２１８をさらに有する。図示の実施形態において、スロット２１８は、第１及び第２プレート２１９ａ、２１９ｂ間にあってもよい。他の開示した実施形態におけるように、スロット２１８は、様々なサイズの鍵２４を受け入れかついったんスロットに向けると鍵２４を固定するように調整可能であってもよい。筐体２１２は、空洞２２にあり、鍵２４の５つの画像をカメラに向けて反射させるように構成された複数の鏡２２０ａ、２２０ｂ、２２０ｃ、２２０ｄ、２２０ｅをさらに有し、それにより、カメラが鍵２４の５つの画像のイメージを捕捉することを可能とする。少なくとも一部の鍵２４をスロット２１８内へ向けると、鏡２２０ａ、２２０ｂ、２２０ｃ、２２０ｄ、２２０ｅは、鍵２４の５つの画像を開口部、ひいてはカメラレンズに反射させるように構成されている。
【００３０】
図９に示すような構造に鍵２４を挿入した状態で、鏡２２０ａは、鍵の端面画像のイメージを開口部に反射させる。鏡２２０ｂは、鍵の頂面画像を鏡２２０ｃに反射させ、この鏡２２０ｃは、頂面画像のイメージを鏡２２０ａに反射させる。鏡２２０ｃは、第１側面画像８６のイメージを鏡２２０ａに反射させる。鏡２２０ｄは、鍵の底面画像を鏡２２０ｃに反射させ、その後、この鏡２２０ｃは、底面画像を鏡２２０ａに反射させる。鏡２２０ｅは、第２側面画像を鏡２２０ａに反射させる。その後、主鏡２２０ａは、実際には、鏡２２０ｂ、２２０ｃ、２２０ｄ、２２０ｅから主鏡に反射された画像それぞれを開口部２１４ひいてはカメラレンズ（図示略）に向けて再反射させる。鏡２２０ａ、２２０ｂ、２２０ｃ、２２０ｄ、２２０ｅは、カメラが鏡２２０ａ、２２０ｂ、２２０ｃ、２２０ｄ、２２０ｅから反射された各図面を捕捉できるように構成されている。より具体的には、鏡２２０ｂ、２２０ｃ、２２０ｄ、２２０ｅは、反射させたイメージが互いに交差しないまたは干渉しないように各画像を鏡２２０ａに反射させる。このため、カメラは、上述した画像を備える１つのイメージを捕捉できる。好ましくは、鏡２２０ａ、２２０ｂ、２２０ｃ、２２０ｄ、２２０ｅは、筐体内のイメージのゴーストを防止するように構成された表面鏡である。
【００３１】
図１０、図１１、図１２、図１３Ａ及び図１３Ｂは、鍵２４のような物体の複数画像を捕捉するための別の実施形態にかかるシステム３００を示す。この実施形態において、システム３００は、筐体３０２を有しており、この筐体は、ネジのような固定具３１０（図１２）によって共に固定された前壁３０４ａ及び後壁３０４ｂと側壁３０６ａ、３０６ｂと頂壁３０８ａ及び底壁３０８ｂとを有するほぼ矩形状をなしており、壁３０４ａ、３０４ｂ、３０６ａ、３０６ｂ、３０８ａ、３０８ｂそれぞれによって画成された空洞３０３を有する。筐体３０２は、鍵のような物体を受け入れるように構成されたスロット３１２を有する。筐体３０２は、鍵２４の一部を受け入れるように構成されたスロット３１２を有する。以下で詳述するように、鍵２４は、スロット３１２を閉塞位置（図３Ｂ）及び開放位置（図３Ａ）に並びに閉塞位置及び開放位置から移動させるときに、スロット３１２内に向けられる。そのために、スロット３１２は、不動部分３１４及び可動部分３１６を有する。一実施形態において、スロット３１２は、毛３１８で少なくとも部分的に覆われている。一実施形態において、毛３１８は、プラスチックであるが、別の実施形態において、金属のような別の材料であってもよい。鍵２４は、スロット３１２が閉塞位置にあるときに、スロット３１２内に固定される。
【００３２】
システムは、同様に、以下で詳述するように、筐体３０２内に向けられた鍵２４のような物体の複数の画像のイメージを捕捉するために回路基板３２２に動作可能に連結されたカメラ３２０を有する。デバイスは、当業者によって理解されるように、写真を保存するＳＤカードを受け入れるためのセキュア・デジタル（ＳＤ）・カードリーダのような記憶デバイス（図示略）をさらに有する。カメラ３２０は、ハンドル３２５にある押下ボタン３２４に動作可能に連結されている。より具体的には、押下ボタン３２４の押下は、カメラ３２０のシャッターを操作し得、これにより、カメラ３２０が筐体３０２内のイメージを捕捉できる。
【００３３】
システムは、同様に、筐体３０２内に光源を有する。光源は、図１０、図１１、図１２、図１３Ａ及び図１３Ｂに示すように、壁の少なくとも１つの内側にある電子発光フィルム３２６であってもよい。好ましくは、頂壁３０８ａ及び底壁３０８ｂの内側に電子発光フィルム３２６がある。電子発光フィルム３２６のための支持を提供するために、支持体３２７があってもよい。ハンドル３２５にあるロッカースイッチ３２８は、電子発光フィルム３２６に動作可能に連結されており、フィルム３２６を発光させる「オン」位置にまたは「オン」位置から電子発光フィルム３２６を切り替えるように動作可能である。妥当であることは、ロッカースイッチ３２８及び押下ボタン３２４が、光源及びカメラ３２０を動作させる唯一の方法であることである。例えば、別の実施形態において、光源及びカメラ３２０双方を基本的に同時に制御する１つのボタンがあってもよい。さらに、別の実施形態において、光源は、電子発光フィルム３２６以外の光源であってもよい。
【００３４】
筐体３０２は、同様に、筐体内にある主スライド３３０を有する。主スライド３３０の後壁３３２は、そこに取り付けられた複数のバネ３３４と、後端部３３２から前壁３３３まで貫通して延在する複数の開口部３３６と、を有する。好ましくは、バネ３３４は、圧縮バネである。開口部３３６は、好ましくは、バネ３３４に対して同心状に方向付けられている。開口部３３６それぞれは、後壁３３２を通ってかつ後壁から前方に延在するピン３３８のうちの１つを受ける。
【００３５】
主スライド３３０は、係合ピン３４２によって主スライド３３０の後壁３３２の後方において筐体３０２の外側に位置するレバー３４０に連結されており、この係合ピンは、背面壁３０４ｂにある開口部３４４を越え、主スライド３３０の後側部にあるネジ山付開口部３４６に螺合する。係合ピン３４２の頭部３４８は、レバー３４０の第１端部３５４においてレバースロット３５２の第１及び第２縁部３５０ａ、３５０ｂに係合する。レバー３４０の第１及び第２端部３５４、３５６間には、レバー開口部３５８がある。ハンドル３２５は、レバー３４０をハンドル３２５に対して回転可能に取り付けるための対向する取付タブ３６０を有する。取付タブ３６０それぞれは、同心状に方向付けられた開口部３６２を有する。レバー３４０をハンドル３２５に回転可能に取り付けるため、レバー開口部３５８は、取付タブ３６０の開口部３６２に対して同心状に位置付けられており、回転ピン３６４は、当接部３６７が対応する取付タブ３６０に接触するまで、開口部３６２それぞれを通るように向けられる。その後、クリップ３６６は、当接部３６７とは反対側の端部に位置されており、開口部３６２から回転ピン３６４が不要に取り外されることを防止する。
【００３６】
主スライド３３０の前端部３３３は、ほぼ台形の凹所３７０を有しており、この凹所は、第１及び第２傾斜部分３７２、３７４を有する。第１及び第２傾斜部分３７２、３７４間には、平坦部分３７６があり、この平坦部分は、主スライド３３０の後端部３３２とほぼ平行である。主スライド３３０は、複数の開口部３７８を有し、これら開口部は、主スライドの前端部３３３から平坦部分３７６を通って延在する。開口部３７８それぞれは、ネジ山付ロッド３７９を受け、これらネジ山付ロッドは、背面プレート３８２のネジ山付開口部３８０と螺合する。背面プレート３８２及び平坦部分３７６間には、一対の圧縮バネ３８４があり、これら圧縮バネは、圧縮状態にあるときに、ピン３８３及び背面プレート３８２を前方方向に付勢する。
【００３７】
主スライド３３０は、複数の溝部３８６ａ、３８６ｂ、３８６ｃを有する。溝部３８６ａ、３８６ｃは、杭部３８８ａ、３８８ｂと相互作用し、これら杭部は、主スライド３３０が前壁３０４ａの方向で移動することを制限するために、二次スライド３９２の傾斜面３９０から延在する。二次スライド３９２は、杭部３８８間に凹所３９４を有しており、バネ（図示略）の一端部を受け入れる。バネの他端部は、側壁３０６ｂにある細長い開口部３９８まで延在する。ラッチピン（図示略）は、バネの第２端部に連結されている。ラッチピンは、細長い開口部３９８と相互作用し、二次スライド３９２を側壁３０６ｂと連結させる。バネにより、二次スライド３９２は、側壁３０６ｂに向けて付勢される。
【００３８】
システム３００は、筐体３０２内に向けられた鍵２４の複数の画像を筐体３０２内のカメラ３２０に向けて反射させるように動作可能である第１及び第２プリズム４０２、４０４をさらに有し、このカメラは、以下で詳述される。一実施形態において、第１及び第２プリズム４０２、４０４は、具体的には直角三角形プリズムとして形成されている。第１プリズム４０２は、第１プリズム支持体４０６によって筐体３０２内に固定されている。
【００３９】
第１プリズム支持体４０６は、側壁３０６ａの凹所４１０に位置する一方、第２プリズム支持体４０８は、底壁３０８ｂから上方向に延在する。第１プリズム支持体４０６は、第１プリズム４０２の斜辺縁部と第１鋭角角部に隣接する縁部とに係合する傾斜セクション４１２を有する。第１プリズム４０２の第１鋭角角部は、第１プリズム支持体４０６の矩形状凹所４１４内に受け入れられる。これにより、第１及び第２プリズム支持体４０６、４０８は、プリズム４０２、４０４が筐体３０２に対して不要に移動することを防止する。
【００４０】
いったんスロット３１２内に向けると、鍵２４は、筐体３０２のいくつかの構成部品によって囲まれる。図１３Ａ及び図１３Ｂに示すように、鍵２４は、背面プレート３８２、第１プリズム４０２、二次スライド３９２及び押圧プレート４１６によってほぼ囲まれ、これにより、調整可能なスロット３１２をほぼ画成し、このスロットは、その中に鍵２４を受け入れる。スロット３１２は、頂壁３０８ａにあり、複数の毛状ワイヤ３１８によって覆われた穴部を有する。
【００４１】
より具体的には、主スライド３３０が第１位置にあるとき、スロット３１２は、開放位置（図１３Ａ）にある。主スライド３３０が第２位置にあるとき、スロット３１２は、閉塞位置（図１３Ｂ）にある。より具体的には、鍵２４の第１及び第２側部は、押圧プレート４１６及び背面プレート３８２に各別に隣接する一方、鍵２４の頂縁部及び底縁部は、二次スライド３９２及び第１プリズム４０２に隣接する。
【００４２】
主スライド３３０を第１位置から第２位置に移動させるため、ユーザは、レバー３４０の第２端部３５６を筐体３０２のほぼ前方に向けて押し込む。レバー３４０がレバー開口部３５８において回転可能に連結されているので、それにより、第１端部３５４は、レバー３４０の第２端部３５６とは反対方向にすなわち筐体３０２から離間する方向に移動する。レバー３４０の第１端部が移動することにより、係合ピン３４２は、同方向に運ばれる。上述のように、係合ピン３４２を主スライド３３０に連結しているので、それにより、係合ピン３４２の移動によって、主スライド３３０を同方向に移動させる。主スライド３３０が第２位置へ後方に移動するにしたがって、ピン３３８は、静止したままであるが、主スライド３３０の開口部３３６内へさらに受けられる。主スライド３３０及び背面壁間にバネ３３４があるので、主スライド３３０が背面壁３０４ｂに向かって接近移動するにしたがって、バネ３３４は、圧縮されていく。それにより、バネ３３４の圧縮は、主スライド３３０を前壁３０４ａに向けて付勢する。
【００４３】
主スライド３３０が第２位置へ後方に移動するにしたがって、二次スライド３９２を側壁３０６ｂに向けて付勢するバネ３９６は、側壁３０６ｂに向かう方向で二次スライド３９２を推進させる。主スライド３３０の傾斜面３７４と二次スライド３９２の傾斜面３９０との間の相互作用と、二次スライド３９２への側壁３０６ｂに向けたバネ付勢と、により、二次スライド３９２は、カム状態様で主スライド３３０に乗る。
【００４４】
主スライド３３０が第１位置から第２位置に移動するにしたがって、背面プレート３８２は、同様に、後方に移動する。図１３Ｂにおいて、圧縮バネ３８４は、圧縮されかつ背面プレート３８２に接触しており、この背面プレートは、順に、主スライド３３０が第２位置にあるときに、鍵２４に接触する。図１３Ａに示すように、圧縮バネ３８４は、伸長されており、背面プレート３８２は、もはや鍵２４と接触していない。より具体的には、主スライド３３０が後方に移動するにしたがって、開口部３３７にあるピン３３１のピン頭部３３１ａひいてはピン３３１は、主スライド３３０と共に進む。バネ３８４は、最終的には、伸長状態に到達し、背面プレート３８２は、ピン３３１と共に後方に移動する。
【００４５】
主スライド３３０の後方移動は、いくつかの方法によって制限されてもよい。第２位置において、主スライド３３０の第１傾斜部分３７２は、第１プリズム４０２の斜辺部分４１８によって制限されてもよい。同様に、主スライド３３０の第２傾斜部分３７４は、二次スライド３９２の傾斜部分３９０とカム状関係で相互作用し、カム状関係がもはやそれら間の相互移動を可能としない点に到達する。さらに、二次スライド３９２にある杭部３８８ａ、３８８ｂは、主スライド３３０の第１及び第３溝部３８６ａ、３８６ｃと相互作用しかつ第１及び第３溝部と係合してもよく、そのさらなる前方移動を防止する。最後に、背面プレート３８２は、バネ３８４の性質と筐体３０２内に向けられた鍵２４の幅とに応じて、主スライド３３０の前方移動を制限してもよい。
【００４６】
システム３００は、鍵２４の複数の画像をカメラ３２０に向けて反射させるように構成されている。より具体的には、第１プリズム４０２は、頂面画像をカメラ３２０に向けて反射させるように構成されている。第２プリズム４０４は、端面画像をカメラ３２０に向けて反射させるように構成されている。第１側面画像は、鏡またはプリズムで反射されることなくカメラ３２０へ視認可能である。底面画像及び第２側面画像を反射させるひいてはカメラ３２０を用いて捕捉するため、ユーザは、鍵２４を取り外し、第２側面画像がカメラ３２０に視認可能でありかつ底面画像が第１プリズムによってカメラ３２０に反射されるように鍵２４を再挿入する。その後、カメラ３２０によって捕捉されたイメージは、データ記憶デバイスに保存され、ソフトウエアによって、上述のように鍵の複製品を作製するための１以上鍵製造デバイスによって読み込み可能なデータに変換されてもよい。
【００４７】
様々な好ましい実施形態の説明によって本発明を示しかつこれら実施形態をいくらか詳細に説明したが、添付の特許請求の範囲をこのような細部に限定するまたは制限することを発明者らは意図していない。さらなる利点及び改変は、当業者にすでに明らかである。本発明の様々な特徴は、ユーザの必要性及び好みに応じて、単独でまたは任意の組合せで使用されてもよい。これは、現在知られている限りでは、本発明を実行する好ましい方法と共に、本発明の説明である。しかしながら、本発明自体は、添付の特許請求の範囲のみによって規定されるべきである。
【符号の説明】
【００４８】
８，３００  システム、１０，２１０  デバイス、１２，２１２，３０２  筐体、１４ａ〜１４ｃ  保持部材、１６  カメラ付携帯電話機，カメラ、１７  レンズ、１８，１２２，２１４  開口部、２０，２１８，３１２  スロット、２２，２１６，３０３  空洞、２４  物体，鍵、４２ａ，２２０ａ  主鏡，鏡、４２ｂ〜４２ｄ，２２０ｂ〜２２０ｅ  鏡、６０，２１９ａ  第１プレート、６２，２１９ｂ  第２プレート、６４  調整可能部分、６６、３４０  調整レバー，レバー、８６  第１側部，第１側面画像、８８  第２側面画像、９０  頂面画像、９２  端面画像、１１２  鏡筐体，筐体、３２０  カメラ、３２６  電子発光フィルム，フィルム（光源）
【図１】
2016515368.tif 000003
【図２】
2016515368.tif 000004
【図３Ａ】
2016515368.tif 000005
【図３Ｂ】
2016515368.tif 000006
【図４】
2016515368.tif 000007
【図５】
2016515368.tif 000008
【図６】
2016515368.tif 000009
【図７】
2016515368.tif 000010
【図８Ａ】
2016515368.tif 000011
【図８Ｂ】
2016515368.tif 000012
【図９】
2016515368.tif 000013
【図１０】
2016515368.tif 000014
【図１１】
2016515368.tif 000015
【図１２】
2016515368.tif 000016
【図１３Ａ】
2016515368.tif 000017
【図１３Ｂ】
2016515368.tif 000018
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
カメラを用いて物体の複数の画像のイメージを捕捉するためのデバイスであって、
空洞を有する筐体であって、前記空洞が主鏡及び複数の鏡を有する、筐体と、
前記筐体にあり、前記空洞と連通しかつ物体の少なくとも一部を受け入れるように構成されたスロットと、
を備え、
複数の前記鏡が、前記物体の少なくとも第１、第２及び第３画像を前記主鏡に向けて反射させるように構成され、
前記主鏡が、複数の前記鏡からの前記物体の少なくとも前記第１、第２及び第３画像を前記カメラに向けて再反射させるように構成され、これにより、前記カメラが前記物体の少なくとも前記第１、第２及び第３画像を示す単一イメージを捕捉することを可能とすることを特徴とするデバイス。
【請求項２】
複数の前記鏡が、前記物体の少なくとも第１、第２、第３及び第４画像を前記主鏡に向けて反射させるように構成され、
前記主鏡が、複数の前記鏡からの前記物体の少なくとも前記第１、第２、第３及び第４画像を前記カメラに向けて再反射させるように構成され、
これにより、前記カメラが前記物体の少なくとも前記第１、第２、第３及び第４画像を示す単一イメージを捕捉することを可能とすることを特徴とする請求項１に記載のデバイス。
【請求項３】
前記主鏡が、複数の前記鏡からの前記物体の少なくとも前記第１、第２及び第３画像を前記カメラに向けて再反射させるように構成され、
前記主鏡が、前記物体の第４画像を前記カメラに向けて反射させるように構成され、
これにより、前記カメラが前記物体の少なくとも前記第１、第２、第３及び第４画像を示す単一イメージを捕捉することを可能とすることを特徴とする請求項１に記載のデバイス。
【請求項４】
複数の前記鏡が、前記物体の少なくとも第１、第２、第３及び第４画像を前記主鏡に向けて反射させるように構成され、
前記主鏡が、複数の前記鏡からの前記物体の少なくとも第１、第２、第３及び第４画像を前記鏡に向けて再反射させるように構成され、
前記主鏡が、前記物体の第５画像を前記カメラに向けて反射させるように構成され、
これにより、前記カメラが前記物体の少なくとも前記第１、第２、第３、第４及び第５画像を示す単一イメージを捕捉することを可能とすることを特徴とする請求項１に記載のデバイス。
【請求項５】
前記物体が、鍵であり、
前記第１画像が、第１側面画像であり、前記第２画像が、第２側面画像であり、前記第３画像が、端面画像であり、前記第４画像が、頂面画像であることを特徴とする請求項３に記載のデバイス。
【請求項６】
前記物体が、鍵であり、
前記第１画像が、頂面画像であり、前記第２画像が、第１側面画像であり、前記第３画像が、第２側面画像であり、前記第４画像が、底面画像であり、前記第５画像が、端面画像であることを特徴とする請求項４に記載のデバイス。
【請求項７】
複数の前記鏡のうちの１つが、前記頂面画像を複数の前記鏡のうちの別の１つ鏡へ反射させ、前記別の１つの鏡が、前記頂面画像を前記主鏡へ再反射させ、前記主鏡が、前記頂面画像を前記カメラに向けて再反射させることを特徴とする請求項６に記載のデバイス。
【請求項８】
複数の前記鏡のうちの１つが、前記底面画像を複数の前記鏡のうちの別の１つの鏡へ反射させ、前記別の１つの鏡が、前記底面画像を前記主鏡へ再反射させ、前記主鏡が、前記底面画像を前記カメラに向けて再反射させることを特徴とする請求項６に記載のデバイス。
【請求項９】
カメラを用いて物体の複数の画像のイメージを捕捉するためのデバイスであって、
空洞を有する筐体であって、前記空洞が主鏡及び複数の鏡を有する、筐体と、
前記筐体にあり、前記空洞と連通しかつ物体の少なくとも一部を受け入れるように構成されたスロットと、
を備え、
前記筐体が、前記物体の少なくとも一部を前記スロット内に向けたときに前記物体を安定させるように構成された調整可能部分を備え、
複数の前記鏡が、前記物体の少なくとも第１、第２及び第３画像を前記主鏡に向けて反射させるように構成され、
前記主鏡が、複数の前記鏡からの前記物体の少なくとも前記第１、第２及び第３画像を前記カメラに向けて再反射させるように構成され、これにより、前記カメラが前記物体の少なくとも前記第１、第２及び第３画像を示す単一イメージを捕捉することを可能とすることを特徴とするデバイス。
【請求項１０】
複数の前記鏡が、前記物体の少なくとも第１、第２、第３及び第４画像を前記主鏡に向けて反射させるように構成され、
前記主鏡が、複数の前記鏡からの前記物体の少なくとも前記第１、第２、第３及び第４画像を前記カメラに向けて再反射させるように構成され、
これにより、前記カメラが前記物体の少なくとも前記第１、第２、第３及び第４画像を示す単一イメージを捕捉することを可能とすることを特徴とする請求項９に記載のデバイス。
【請求項１１】
前記主鏡が、複数の前記鏡からの前記物体の少なくとも前記第１、第２及び第３画像を前記カメラに向けて再反射させるように構成され、
前記主鏡が、前記物体の第４画像を前記カメラに向けて反射させるように構成され、
これにより、前記カメラが前記物体の少なくとも前記第１、第２、第３及び第４画像を示す単一イメージを捕捉することを可能とすることを特徴とする請求項９に記載のデバイス。
【請求項１２】
複数の前記鏡が、前記物体の少なくとも第１、第２、第３及び第４画像を前記主鏡に向けて反射させるように構成され、
前記主鏡が、複数の前記鏡からの前記物体の少なくとも第１、第２、第３及び第４画像を前記鏡に向けて再反射させるように構成され、
前記主鏡が、前記物体の第５画像を前記カメラに向けて反射させるように構成され、
これにより、前記カメラが前記物体の少なくとも前記第１、第２、第３、第４及び第５画像を示す単一イメージを捕捉することを可能とすることを特徴とする請求項９に記載のデバイス。
【請求項１３】
前記調整可能部分が、複数の前記鏡のうちの少なくとも１つを収容することを特徴とする請求項９に記載のデバイス。
【請求項１４】
前記調整可能部分が、複数の前記鏡のうちの少なくとも１つを収容することを特徴とする請求項１０に記載のデバイス。
【請求項１５】
前記調整可能部分が、複数の前記鏡のうちの少なくとも１つを収容することを特徴とする請求項１１に記載のデバイス。
【請求項１６】
前記調整可能部分が、複数の前記鏡のうちの少なくとも１つを収容することを特徴とする請求項１２に記載のデバイス。
【請求項１７】
前記物体が、鍵であることを特徴とする請求項９に記載のデバイス。
【請求項１８】
物体の複数の画像を捕捉するためのシステムであって、
空洞を有する筐体であって、前記空洞が主鏡及び複数の鏡を有する、筐体と、
前記筐体にあり、前記空洞と連通しかつ物体を受けるように構成されたスロットと、
カメラと、
光源と、
複数の前記鏡が、前記物体の少なくとも第１、第２及び第３画像を前記主鏡に向けて反射させるように構成され、
前記主鏡が、複数の前記鏡からの前記物体の少なくとも前記第１、第２及び第３画像を前記カメラに向けて再反射させるように構成され、これにより、前記カメラが前記物体の少なくとも前記第１、第２及び第３画像を示す単一イメージを捕捉することを可能とすることを特徴とするシステム。
【請求項１９】
前記主鏡が、複数の前記鏡からの前記物体の少なくとも前記第１、第２及び第３画像を前記カメラに向けて再反射させるように構成され、
前記主鏡が、前記物体の第４画像を前記カメラに向けて反射させるように構成され、
これにより、前記カメラが前記物体の少なくとも前記第１、第２、第３及び第４画像を示す単一イメージを捕捉することを可能とすることを特徴とする請求項１８に記載のシステム。
【請求項２０】
前記主鏡が、複数の前記鏡からの前記物体の少なくとも前記第１、第２及び第３画像を前記カメラに向けて再反射させるように構成され、
前記主鏡が、前記物体の第４画像を前記カメラに向けて反射させるように構成され、
これにより、前記カメラが前記物体の少なくとも前記第１、第２、第３及び第４画像を示す単一イメージを捕捉することを可能とすることを特徴とする請求項１８に記載のシステム。
【請求項２１】
複数の前記鏡が、前記物体の少なくとも第１、第２、第３及び第４画像を前記主鏡に向けて反射させるように構成され、
前記主鏡が、複数の前記鏡からの前記物体の少なくとも第１、第２、第３及び第４画像を前記鏡に向けて再反射させるように構成され、
前記主鏡が、前記物体の第５画像を前記カメラに向けて反射させるように構成され、
これにより、前記カメラが前記物体の少なくとも前記第１、第２、第３、第４及び第５画像を示す単一イメージを捕捉することを可能とすることを特徴とする請求項１８に記載のシステム。
【請求項２２】
前記物体が、鍵であり、
前記第１画像が、第１側面画像であり、前記第２画像が、第２側面画像であり、前記第３画像が、端面画像であり、前記第４画像が、頂面画像であることを特徴とする請求項２０に記載のシステム。
【請求項２３】
前記物体が、鍵であり、
前記第１画像が、頂面画像であり、前記第２画像が、第１側面画像であり、前記第３画像が、第２側面画像であり、前記第４画像が、底面画像であり、前記第５画像が、端面画像であることを特徴とする請求項２１に記載のシステム。
【請求項２４】
複数の前記鏡のうちの１つが、前記頂面画像を複数の前記鏡のうちの別の１つ鏡へ反射させ、前記別の１つの鏡が、前記頂面画像を前記主鏡へ再反射させ、前記主鏡が、前記頂面画像を前記カメラに向けて再反射させることを特徴とする請求項２３に記載のシステム。
【請求項２５】
複数の前記鏡のうちの１つが、前記底面画像を複数の前記鏡のうちの別の１つの鏡へ反射させ、前記別の１つの鏡が、前記底面画像を前記主鏡へ再反射させ、前記主鏡が、前記底面画像を前記カメラに向けて再反射させることを特徴とする請求項２３に記載のシステム。
【請求項２６】
前記物体が、鍵であることを特徴とする請求項１８に記載のシステム。
【請求項２７】
前記物体の少なくとも前記第１、第２及び第３画像が互いに交差しないまたは干渉しないことを特徴とする請求項１８に記載のシステム。
【請求項２８】
前記光源が、筐体内にあることを特徴とする請求項１８に記載のシステム。
【請求項２９】
前記光源が、電子発光フィルムであることを特徴とする請求項１８に記載のシステム。
【請求項３０】
製造デバイスと、
記憶デバイスと通信し、前記単一イメージをデータに変換するように構成されたソフトウエアと、
をさらに備え、
前記データが、前記物体を複製するために前記製造デバイスによって読み込み可能であることを特徴とする請求項１８に記載のシステム。
【請求項３１】
前記物体が、鍵であり、
前記データが、鍵ブランクを作製するために前記製造デバイスによって使用可能であることを特徴とする請求項３０に記載のシステム。
【請求項３２】
第２製造デバイスをさらに備え、
前記データが、前記鍵ブランクから前記鍵を複製するために前記第２製造デバイスによって使用可能であることを特徴とする請求項３１に記載のシステム。
【請求項３３】
物体の複数の画像を捕捉するためのシステムであって、
空洞を有する筐体であって、前記空洞が主鏡及び複数の鏡を有する、筐体と、
前記筐体にあり、前記空洞と連通しかつ物体を受けるように構成されたスロットと、
前記物体を前記スロット内に向けたときに前記物体を安定させる調整可能部分と、
カメラと、
光源と、
複数の前記鏡が、前記物体の少なくとも第１、第２及び第３画像を前記主鏡に向けて反射させるように構成され、
前記主鏡が、複数の前記鏡からの前記物体の少なくとも前記第１、第２及び第３画像を前記カメラに向けて再反射させるように構成され、これにより、前記カメラが前記物体の少なくとも前記第１、第２及び第３画像を示す単一イメージを捕捉することを可能とすることを特徴とするシステム。
【請求項３４】
前記主鏡が、複数の前記鏡からの前記物体の少なくとも前記第１、第２及び第３画像を前記カメラに向けて反射させるように構成され、
前記主鏡が、前記物体の第４画像を前記カメラに向けて再反射させるように構成され、
これにより、前記カメラが前記物体の少なくとも前記第１、第２、第３及び第４画像を示す単一イメージを捕捉することを可能とすることを特徴とする請求項３３に記載のシステム。
【請求項３５】
前記主鏡が、複数の前記鏡からの前記物体の少なくとも前記第１、第２及び第３画像を前記カメラに向けて再反射させるように構成され、
前記主鏡が、前記物体の第４画像を前記カメラに向けて反射させるように構成され、
これにより、前記カメラが前記物体の少なくとも前記第１、第２、第３及び第４画像を示す単一イメージを捕捉することを可能とすることを特徴とする請求項３３に記載のシステム。
【請求項３６】
複数の前記鏡が、前記物体の少なくとも第１、第２、第３及び第４画像を前記主鏡に向けて反射させるように構成され、
前記主鏡が、複数の前記鏡からの前記物体の少なくとも第１、第２、第３及び第４画像を前記鏡に向けて再反射させるように構成され、
前記主鏡が、前記物体の第５画像を前記カメラに向けて反射させるように構成され、
これにより、前記カメラが前記物体の少なくとも前記第１、第２、第３、第４及び第５画像を示す単一イメージを捕捉することを可能とすることを特徴とする請求項３３に記載のシステム。
【請求項３７】
前記調整可能部分が、複数の前記鏡のうちの少なくとも１つを収容することを特徴とする請求項３３に記載のシステム。
【請求項３８】
前記調整可能部分が、複数の前記鏡のうちの少なくとも１つを収容することを特徴とする請求項３４に記載のシステム。
【請求項３９】
前記調整可能部分が、複数の前記鏡のうちの少なくとも１つを収容することを特徴とする請求項３５に記載のシステム。
【請求項４０】
前記調整可能部分が、複数の前記鏡のうちの少なくとも１つを収容することを特徴とする請求項３６に記載のシステム。
【請求項４１】
前記物体が、鍵であることを特徴とする請求項３３に記載のシステム。
【請求項４２】
前記単一イメージが、互いに交差しないまたは干渉しない少なくとも３つの画像を有することを特徴とする請求項３３に記載のシステム。
【請求項４３】
前記調整可能部分が、ガラスからなる第１プレートを備え、
前記スロットが、ガラスからなる前記第１プレートとガラスからなる第２プレートとによって部分的に画成されていることを特徴とする請求項３３に記載のシステム。
【請求項４４】
前記筐体にあり、前記空洞と連通する開口部と、
前記筐体に隣接して前記カメラを連結するように構成された保持部材と、
をさらに備え、
前記保持部材が、前記カメラのレンズを前記開口部と位置合わせさせるように調整可能であることを特徴とする請求項３３に記載のシステム。
【請求項４５】
製造デバイスと、
記憶デバイスと通信し、前記単一イメージをデータに変換するように構成されたソフトウエアと、
をさらに備え、
前記データが、前記物体を複製するために前記製造デバイスによって読み込み可能であることを特徴とする請求項４４に記載のシステム。
【請求項４６】
前記物体が、鍵であり、
前記データが、鍵ブランクを作製するために前記製造デバイスによって使用可能であることを特徴とする請求項４５に記載のシステム。
【請求項４７】
第２製造デバイスをさらに備え、
前記データが、前記鍵ブランクから前記鍵を複製するために前記第２製造デバイスによって使用可能であることを特徴とする請求項４６に記載のシステム。
【請求項４８】
空洞を有する筐体を用いて物体の複数の画像を捕捉する方法であって、
前記空洞が、当該空洞に主鏡及び複数の鏡を有し、
当該方法が、
前記物体の少なくとも一部を前記空洞内で受けるステップと、
前記主鏡に向けて複数の前記鏡を用いて前記物体の少なくとも第１、第２及び第３画像を反射させるステップと、
前記物体の少なくとも前記第１、第２及び第３画像を前記空洞に通じるカメラに向けて再反射させるステップと、
前記カメラを用いて前記物体の少なくとも第１、第２及び第３画像を示す単一イメージを捕捉するステップと、
を備えることを特徴とする方法。
【請求項４９】
前記主鏡に向けて複数の前記鏡を用いて前記物体の少なくとも第１、第２及び第３画像を反射させるステップと、前記物体の少なくとも前記第１、第２及び第３画像を前記空洞に通じるカメラに向けて再反射させるステップと、が、
前記主鏡に向けて複数の前記鏡を用いて前記物体の少なくとも第１、第２、第３及び第４画像を反射させるステップと、
前記物体の少なくとも第１、第２、第３及び第４画像を前記空洞に通じるカメラに向けて再反射させるステップと、
をさらに備えることを特徴とする請求項４８に記載の方法。
【請求項５０】
前記物体の少なくとも前記第１、第２及び第３画像を前記空洞に通じるカメラに向けて再反射させるステップが、
前記物体の第４画像を前記空洞に通じるカメラに向けて反射させるステップと、
前記物体の前記第１、第２及び第３画像を前記空洞に通じるカメラに向けて再反射させるステップと、
をさらに備えることを特徴とする請求項４８に記載の方法。
【請求項５１】
前記主鏡に向けて複数の前記鏡を用いて前記物体の少なくとも第１、第２、第３及び第４画像を反射させるステップが、
前記物体の第５画像を前記空洞に通じるカメラに向けて反射させるステップと、
前記物体の前記第１、第２、第３、第４及び第５画像を前記空洞に通じるカメラに向けて再反射させるステップと、
をさらに備えることを特徴とする請求項４９に記載の方法。
【請求項５２】
前記物体が、鍵であることを特徴とする請求項４８に記載の方法。
【請求項５３】
前記取外し可能に受けるステップが、
前記筐体に保持部材を設けるステップであって、前記保持部材が前記カメラのレンズを前記筐体にある開口部と位置合わせさせるように調整可能である、ステップをさらに備えることを特徴とする請求項５０に記載の方法。
【請求項５４】
前記単一イメージをソフトウエアを用いて前記単一イメージを示すデータに変換するステップと、
前記データを製造デバイスに送信するステップと、
をさらに備えることを特徴とする請求項５１に記載の方法。
【請求項５５】
前記製造デバイスを用いて、前記データによって鍵ブランクを機械加工するステップをさらに備えることを特徴とする請求項５４に記載の方法。
【請求項５６】
前記鍵ブランクを機械加工して鍵を複製するステップをさらに備えることを特徴とする請求項５５に記載の方法。
【請求項５７】
前記データを第２製造デバイスに送信するステップと、
前記第２製造デバイスを用いて、鍵ブランクを機械加工して鍵を複製するステップと、
をさらに備えることを特徴とする請求項５４に記載の方法。
【請求項５８】
空洞を有する筐体を用いて物体の複数の画像を捕捉する方法であって、
前記空洞が、当該空洞に主鏡及び複数の鏡を有し、
当該方法が、
前記物体の少なくとも一部を前記空洞と連通するスロット内で受けるステップであって、前記スロットの一部が当該スロット内で前記物体を安定させるように調整可能である、ステップと、
前記主鏡に向けて複数の前記鏡を用いて前記物体の少なくとも第１、第２及び第３画像を反射させるステップと、
前記物体の少なくとも前記第１、第２及び第３画像を前記空洞に通じるカメラに向けて再反射させるステップと、
前記カメラを用いて前記物体の少なくとも第１、第２及び第３画像を示す単一イメージを捕捉するステップと、
を備えることを特徴とする方法。
【請求項５９】
前記主鏡に向けて複数の前記鏡を用いて前記物体の少なくとも第１、第２及び第３画像を反射させるステップと、前記物体の少なくとも前記第１、第２及び第３画像を前記空洞に通じるカメラに向けて再反射させるステップと、が、
前記主鏡に向けて複数の前記鏡を用いて前記物体の少なくとも第１、第２、第３及び第４画像を反射させるステップと、
前記物体の少なくとも第１、第２、第３及び第４画像を前記空洞に通じるカメラに向けて再反射させるステップと、
をさらに備えることを特徴とする請求項５８に記載の方法。
【請求項６０】
前記物体の少なくとも前記第１、第２及び第３画像を前記空洞に通じるカメラに向けて再反射させるステップが、
前記物体の第４画像を前記空洞に通じるカメラに向けて反射させるステップと、
前記物体の前記第１、第２及び第３画像を前記空洞に通じるカメラに向けて再反射させるステップと、
をさらに備えることを特徴とする請求項５８に記載の方法。
【請求項６１】
前記主鏡に向けて複数の前記鏡を用いて前記物体の少なくとも第１、第２、第３及び第４画像を再反射させるステップが、
前記物体の第５画像を前記空洞に通じるカメラに向けて反射させるステップと、
前記物体の前記第１、第２、第３、第４及び第５画像を前記空洞に通じるカメラに向けて再反射させるステップと、
をさらに備えることを特徴とする請求項５９に記載の方法。
【請求項６２】
前記物体が、鍵であることを特徴とする請求項５８に記載の方法。
【請求項６３】
前記スロットを調整するための部材を設けるステップであって、前記部材がユーザによって作動される、ステップをさらに備えることを特徴とする請求項５８に記載の方法。
【請求項６４】
前記カメラを前記筐体の開口部に隣接して取外し可能に受けるステップをさらに備えることを特徴とする請求項５８に記載の方法。
【請求項６５】
カメラ付携帯電話機及び空洞を備える筐体を用いて鍵を複製する方法であって、
前記空洞が、当該空洞に主鏡及び複数の鏡を有し、
前記鍵の少なくとも一部を前記空洞と連通するスロット内で受けるステップと、
前記主鏡に向けて複数の前記鏡を用いて前記鍵の少なくとも第１、第２及び第３画像を反射させるステップと、
前記鍵の少なくとも前記第１、第２及び第３画像を前記空洞に通じるカメラに向けて再反射させるステップと、
前記カメラを用いて、前記鍵の少なくとも前記第１、第２及び第３画像の単一イメージを捕捉するステップと、
前記カメラのソフトウエアを用いて、前記単一イメージを前記単一イメージを示すデータに変換するステップと、
前記データを第１及び第２機械加工デバイスに送信するステップと、
前記第１機械加工デバイスを用いて、前記鍵に対応する鍵ブランクを機械加工するステップと、
前記第２機械加工デバイスを用いて、前記鍵ブランクを機械加工して前記鍵の複製品を複製するステップと、
を備えることを特徴とする方法。
【請求項６６】
鍵を複製するためのシステムであって、
空洞を有する筐体であって、前記空洞が主鏡及び複数の鏡を有する、筐体と、
前記筐体にあり、前記空洞と連通しかつ前記鍵の少なくとも一部を受けるように構成されたスロットであって、複数の前記鏡が、前記鍵の少なくとも第１、第２及び第３画像を前記主鏡に向けて反射させるように構成され、前記主鏡が、複数の前記鏡からの前記鍵の少なくとも前記第１、第２及び第３画像を前記筐体の開口部に向けて再反射させるように構成された、スロットと、
カメラ付携帯電話機であって、
前記開口部に通じ、前記鍵の前記第１、第２及び第３画像を示す単一イメージを捕捉するように動作するカメラ、
前記カメラによって捕捉された前記単一イメージを保存するように動作する記憶デバイス、及び、
前記記憶デバイスと通信し、前記単一イメージを前記単一イメージを示すデータに変換するように構成されたソフトウエア、
を備えるカメラ付携帯電話機と、
前記カメラ付携帯電話機と通信して前記データを受信する第１鍵製造デバイスであって、前記データが、当該第１鍵製造デバイスによって使用可能であり、鍵ブランクを作製する、第１鍵製造デバイスと、
前記カメラ付携帯電話機と通信して前記データを受信する第２鍵製造デバイスであって、前記データが、当該第２鍵製造デバイスによって使用可能であり、前記鍵ブランクから前記鍵を複製する、第２鍵製造デバイスと、
を備えることを特徴とするシステム。
【国際調査報告】
2016515368.tif 000019